(57)【要約】【課題】支軸のスライド部材を引き下げることによりすぼめると、シートの各襞折りが一の周方向に整然と自然に並ぶために、襞折りを揃える手数を加えることなく、「絞る」操作を一挙になし得るこうもり傘を提供する。【解決手段】柄付き支軸の上端に、シートを張る多数本の主骨を軸支する固定部材を嵌着し、その下方に主骨を支持する各補助骨が支持されるスライド部材を嵌装し、シートには、各主骨間の中央に沿って二つ折りされる山折りの襞が形成されてなるこうもり傘において、シートの周縁に、原形が円弧形のバネ縁を主骨と襞との間毎にその端縁に沿って一体化して取り付け、その取付け方について、襞を中心とする左右一対毎の円弧形のバネ縁が全周にわたって交互に正逆転倒して配置され、スライド部材の引き下げによりシートをすぼめた時に、正逆転倒による左右一対のバネ縁の重なりにしたがって、シートには各主骨の間において一方向になびく二つ折りの襞折りができるように構成してある。【選択図】    図１
2012055607.tif 000002
【特許請求の範囲】
【請求項１】
柄付き支軸の上端に、シートを張る多数本の主骨を軸支する固定部材を嵌着し、その下方に主骨を支持する各補助骨が支持されるスライド部材を嵌装し、シートには、各主骨間の中央に沿って二つ折りされる山折りの襞が形成されてなるこうもり傘において、シートの周縁に、原形が円弧形のバネ縁を主骨と襞との間毎にその端縁に沿って一体化して取り付け、その取付け方について、襞を中心とする左右一対毎の円弧形のバネ縁が全周にわたって交互に正逆転倒して配置され、スライド部材の引き下げによりシートをすぼめた時に、正逆転倒による左右一対のバネ縁の重なりにしたがって、シートには各主骨の間において一方向になびく二つ折りの襞折りができるように構成してあることを特徴とするこうもり傘。
【請求項２】
バネ縁が硬質又は半硬質のプラスチックテープからなる円弧形に湾曲した板バネであって、シートに接着されていることを特徴とする請求項１記載のこうもり傘。
【請求項３】
バネ縁が螢光塗料ないし夜光塗料による反射材であることを特徴とする請求項１又は２記載のこうもり傘。
【発明の詳細な説明】
【技術分野】
【０００１】
この発明は、ワンアクションで整然とすぼめることができるように工夫した折畳み式のこうもり傘に関する。
【背景技術】
【０００２】
こうもり傘は、柄付きの支軸を中心にシートを張り又はそれを折り畳むようになっており、その構造については、支軸の上端に固定部材をその下方にスライド部材をそれぞれ取付け、固定部材に多数本の主骨を軸支し放射状に取付けるとともに、スライド部材と各主骨との間に補助骨を介在させ、全主骨にわたってシートが張りつけられている。
【０００３】
そこで、スライド部材を押し下げると、補助骨を介して各主骨が下がることによって、それと一体のシートが閉じられる。これを「すぼめ」た状態と称すると、「すぼめ」からさらに手でほそめにして「絞る」ことにより折畳みが完了する。「すぼめ」たときには、各主骨の間においてシートが襞で二つ折りに閉じられるが、従来のこうもり傘では、その襞折り方向がバラバラとなり、部分的に内側へ巻き込んでいる箇所も生じるので、襞折りを一方向に伏せる「絞る」操作が容易ではなく、このため、それに先立って面倒な襞の整理が強いられるという問題があった。
【発明の概要】
【発明が解決しようとする課題】
【０００４】
この発明は、上記のような実情に鑑みて、支軸のスライド部材を引き下げることによりすぼめると、シートの各襞折りが一の周方向に整然と自然に並ぶために、襞折りを揃える手数を加えることなく、「絞る」操作を一挙になし得るこうもり傘を提供することを課題とした。
【課題を解決するための手段】
【０００５】
上記の課題を解決するために、この発明は、柄付き支軸の上端に、シートを張る多数本の主骨を軸支する固定部材を嵌着し、その下方に主骨を支持する各補助骨が支持されるスライド部材を嵌装し、シートには、各主骨間の中央に沿って二つ折りされる山折りの襞が形成されてなるこうもり傘において、シートの周縁に、原形が円弧形のバネ縁を主骨と襞との間毎にその端縁に沿って一体化して取り付け、その取付け方について、襞を中心とする左右一対毎の円弧形のバネ縁が全周にわたって交互に正逆転倒して配置され、スライド部材の引き下げによりシートをすぼめた時に、正逆転倒による左右一対のバネ縁の重なりにしたがって、シートには各主骨の間において一方向になびく二つ折りの襞折りができるように構成してあることを特徴とするこうもり傘を提供する。
【０００６】
こうもり傘を上記のように構成したから、シートを開いた使用状態では、その周囲に一体化されているバネ縁は弾性変形により真っ直ぐに延びているが、傘をすぼめると、バネ縁が円弧の原形に復帰することにより襞の左右では互いに重なり、これに従って、襞折りが一周方向に伏せる（なびく）形態となるので、次いで、握り回転操作で細く絞ることができる。
【発明の効果】
【０００７】
以上説明したように、この発明のこうもり傘によれば、支軸のスライド部材を引き下げることによりすぼめると、シートの各襞折りが一の周方向に整然と自然に並ぶために、襞折りを揃える手数を加えることなく、「絞る」操作、つまり、折畳みの最終操作を一挙になすことができ、しかも、最終的に絞った状態では、乱れがなく見栄えが良好となるという優れた効果がある。
【図面の簡単な説明】
【０００８】
【図１】この発明に係るこうもり傘を示すとともに、その一端部を枠内に拡大して示す斜視図である。
【図２】同こうもり傘のバネ縁を円弧形の原形（イ）と、偏平な弾性変形（ロ）との２様に示す側面図である。
【図３】同こうもり傘をすぼめた状態を示す斜視図である。
【発明を実施するための形態】
【０００９】
この発明においては、シート５としては、従来のものと同様に柔軟な布材やプラスチックシート材が使用される。また、湾曲したバネ縁９の特性を持つテープは薄いプラスチックの板が良く、傘のシート材の例えばビニール材、布材は接着、溶着、圧着又は縫い付けによって取り付ける。さらに、バネの特性を持つテープ材（シート材）には、カラフルな着色をしてデザインを加味したり、又螢光塗料や夜光塗料等による反射材を使ったりするとさらに、歩行の安全性が高まると同時に体裁が良くなり付加価値が得られる。
【実施例１】
【００１０】
図面は一実施例を示したもので、そのこうもり傘は、柄２付きの支軸１を中心にして多数の主骨３，３，・・を放射状に配設してそれにビニール材のシート５が張られ、主骨３と主骨３との間に沿って外側へ出る山折りとなる襞７，７，・・が形成され、シート５の周囲において、主骨３と襞７との間ごとにバネ縁９，９，・・が端縁に沿って固着される。
【００１１】
バネ縁９は、これに硬質の弾発力を有するプラスチックテープが使用され、それぞれほゞ半円の原形であって、主骨３と襞７との間においてシート５の裏側に周囲に正逆交互に接着される。したがって、襞７を挟む左右のバネ縁９，９について見ると、円弧において相互に重なり得る伏せの位置づけとなる取付け方であって（図１の二点鎖線参照）、その伏せ方向が支軸１を中心に反時計回り方向となっている（図３）。
【００１２】
このバネ縁９，９，・・を備える他は従来の一般的なこうもり傘であって、支軸１には、主骨３，３，・・を軸支する固定部材１１が上端に取り付けられ、それよりも下方に補助骨１３，１３，・・を軸支するスライド部材１５が上下可能に嵌められている。したがって、スライド部材１５を押し上げたロック状態では、補助骨１３，１３，・・を介して各主骨３，３，・・が上へ反転しその上にシート５が緊張した傘の使用形態となる。このときは、図１に示すように、各バネ縁９，９，・・はシート５の緊張に順応して真っ直ぐに弾性変形し反発力を保有している。
【００１３】
次に、スライド部材１５をロック解除で引き下げると、補助骨１３，１３，・・を介して主骨３，３，・・が下へ転じて閉じ、それと一体のシート５がすぼめられる（図３）。このとき、襞７の両側のバネ縁９，９は同じ湾曲に重なり、各一対のバネ縁９，９が反時計回り方向に伏せた状態となり、各襞折り１０，１０，・・もこれに順応しその方向へなびく状態となる（図３）。
【００１４】
こうして、一律の整然とした形態が確実に得られるので、これだけでも見栄えが良い体裁が得られるが、周囲になびく襞折り１０，１０，・・を握りながら回転操作で一挙に絞ることができ、折畳みをワンアクションで見栄え良く完成することができる。
【符号の説明】
【００１５】
１  支軸
２  柄
３  主骨
５  シート
７  襞
９  バネ縁
１０  襞折り
１１  固定部材
１３  補助骨
１５  スライド部材
【図１】
2012055607.tif 000003
【図２】
2012055607.tif 000004
【図３】
2012055607.tif 000005